(57)【特許請求の範囲】
【請求項１】
時刻を表示する表示部と、
側面に貫通孔を有する金属製のケースと、
前記貫通孔を開閉可能に設けられた金属製の竜頭と、
前記ケースの内部に収容された無線通信デバイスと、
を備えるタグ内蔵時計であって、
前記竜頭は、
前記ケースの外側に位置し、前記ケースに接触することにより前記貫通孔を閉塞可能な頭部と、
一端部が前記頭部に接続され、他端部が前記ケースの内側に位置するように前記貫通孔を通じて前記ケースの内側へ延在する胴部と、
を備え、
前記竜頭の頭部が前記ケースから離れる方向に引かれたとき、前記竜頭の頭部が前記ケースに対して非接触になり、前記ケースの外部に位置するリーダ装置が前記竜頭を通じて前記無線通信デバイスの情報を読み取り可能になる、
タグ内蔵時計。
【請求項２】
前記竜頭が前記ケースから離れる方向に引かれたとき、前記貫通孔内に位置する前記竜頭の胴部の周囲に前記ケースの外部と連通する隙間が生じる、請求項１に記載のタグ内蔵時計。
【請求項３】
前記無線通信デバイスは、前記胴部に対して電磁界を介して結合するように設けられている、請求項１又は２に記載のタグ内蔵時計。
【請求項４】
前記無線通信デバイスは、ＲＦＩＣ素子と、当該ＲＦＩＣ素子に接続されたループ状電極とを備え、
前記ループ状電極は、ループ面が前記表示部に対向する前記ケースの主面に対して交差するように設けられている、請求項１〜３のいずれか１つに記載のタグ内蔵時計。
【請求項５】
時刻を表示する表示部と、
側面に貫通孔を有する金属製のケースと、
前記貫通孔を開閉可能に設けられた金属製の竜頭と、
前記ケースの内部に収容された無線通信デバイスと、
を備えるタグ内蔵時計の真贋判定方法であって、
前記ケースの外側に位置し且つ前記ケースに接触することにより前記貫通孔を閉塞する前記竜頭の頭部を前記ケースから離れる方向に引き、
前記竜頭の頭部を前記ケースに対して非接触にした状態で、リーダ装置により前記無線通信デバイスの情報を読み取る、
ことを含む、タグ内蔵時計の真贋判定方法。
【請求項６】
前記リーダ装置による前記無線通信デバイスの情報の読み取りは、前記竜頭の頭部に手指を接触させた状態で行われる、請求項５に記載のタグ内蔵時計の真贋判定方法。
【発明の詳細な説明】
【技術分野】
【０００１】
本発明は、金属製のケースの内部に無線通信デバイスを備えるタグ内蔵時計及びタグ内蔵時計の真贋判定方法に関する。
【背景技術】
【０００２】
従来、時計の真贋判定のために、無線通信デバイスとしてＲＦＩＤタグ（Radio Frequency Identification）を内蔵する時計が知られている。ＲＦＩＤタグの情報をリーダ装置で読み取ることによって、時計の真贋判定を行うことができる。【０００３】
しかしながら、高級ブランドの腕時計や懐中時計などの時計には、金属製のケースが用いられることが一般的である。金属製のケースは、基本的に、ＲＦＩＤタグから発信される電波を外部に放射しない。これに対して、特許文献１には、金属製のケースの裏面にスリットを設け、当該スリットを通じてＲＦＩＤタグから発信される電波を外部に放射するように構成されたタグ内蔵時計が開示されている。
【先行技術文献】
【特許文献】
【０００４】
【特許文献１】特開２００３−３５７８６号公報
【発明の概要】
【発明が解決しようとする課題】
【０００５】
しかしながら、特許文献１のタグ内蔵時計では、金属製のケースの裏面にスリットを設けるので、ケースの強度が低下するとともに、外観デザインの制約を受けることになる。また、スリットを通じてＲＦＩＤタグの情報を外部から常時読み取ることが可能になるため、ＲＦＩＤタグの情報（例えば、固有ＩＤ）が漏洩するリスクがある。【０００６】
本発明の目的は、前記課題を解決することにあって、ケースの強度低下、外観デザインの制約、及び無線通信デバイスの情報の漏洩を抑えることができるタグ内蔵時計及びタグ内蔵時計の真贋判定方法を提供することにある。
【課題を解決するための手段】
【０００７】
本発明の一態様に係るタグ内蔵時計は、時刻を表示する表示部と、
側面に貫通孔を有する金属製のケースと、
前記貫通孔を開閉可能に設けられた金属製の竜頭と、
前記ケースの内部に収容された無線通信デバイスと、
を備えるタグ内蔵時計であって、
前記竜頭は、
前記ケースの外側に位置し、前記ケースに接触することにより前記貫通孔を閉塞可能な頭部と、
一端部が前記頭部に接続され、他端部が前記ケースの内側に位置するように前記貫通孔を通じて前記ケースの内側へ延在する胴部と、
を備え、
前記竜頭の頭部が前記ケースから離れる方向に引かれたとき、前記竜頭の頭部が前記ケースに対して非接触になり、前記ケースの外部に位置するリーダ装置が前記竜頭を通じて前記無線通信デバイスの情報を読み取り可能になる、
ことを特徴とする。【０００８】
本発明の一態様に係るタグ内蔵時計の真贋判定方法は、時刻を表示する表示部と、
側面に貫通孔を有する金属製のケースと、
前記貫通孔を開閉可能に設けられた金属製の竜頭と、
前記ケースの内部に収容された無線通信デバイスと、
を備えるタグ内蔵時計の真贋判定方法であって、
前記ケースの外側に位置し且つ前記ケースに接触することにより前記貫通孔を閉塞する前記竜頭の頭部を前記ケースから離れる方向に引き、
前記竜頭の頭部を前記ケースに対して非接触にした状態で、リーダ装置により前記無線通信デバイスの情報を読み取る、
ことを含む。
【発明の効果】
【０００９】
本発明によれば、ケースの強度低下、外観デザインの制約、及び無線通信デバイスの情報の漏洩を抑えることができるタグ内蔵時計及びタグ内蔵時計の真贋判定方法を提供することができる。
【図面の簡単な説明】
【００１０】
【図１】本発明の実施の形態に係るタグ内蔵時計の概略構成を示す平面図である。
【図２】図１のタグ内蔵時計の内部構造を示す平面図である。
【図３】ＲＦＩＤタグの概略構成を示す斜視図である。
【図４】ＲＦＩＤタグの概略構成を示す断面図である。
【図５】竜頭の頭部がケースから離れる方向に引かれた状態における図１のタグ内蔵時計の概略構成を示す平面図である。
【図６】竜頭の頭部がケースから離れる方向に引かれた状態における図１のタグ内蔵時計の内部構造を示す平面図である。
【図７】ＲＦＩＤタグと竜頭の胴部との位置関係の変形例を示す断面図である。
【図８】ＲＦＩＤタグをケースの内側面に設けた変形例に係るタグ内蔵時計の内部構造を示す平面図である。
【図９】図８の一部拡大平面図である。
【図１０】ケースから離れる方向に引かれた竜頭の頭部に手指を接触させた状態を示す平面図である。
【発明を実施するための形態】
【００１１】
本発明の一態様に係るタグ内蔵時計は、時刻を表示する表示部と、
側面に貫通孔を有する金属製のケースと、
前記貫通孔を開閉可能に設けられた金属製の竜頭と、
前記ケースの内部に収容された無線通信デバイスと、
を備えるタグ内蔵時計であって、
前記竜頭は、
前記ケースの外側に位置し、前記ケースに接触することにより前記貫通孔を閉塞可能な頭部と、
一端部が前記頭部に接続され、他端部が前記ケースの内側に位置するように前記貫通孔を通じて前記ケースの内側へ延在する胴部と、
を備え、
前記竜頭の頭部が前記ケースから離れる方向に引かれたとき、前記竜頭の頭部が前記ケースに対して非接触になり、前記ケースの外部に位置するリーダ装置が前記竜頭を通じて前記無線通信デバイスの情報を読み取り可能になる、
ことを特徴とする。
【００１２】
この構成によれば、竜頭の頭部がケースから離れる方向に引かれたとき、リーダ装置が無線通信デバイスの情報を読み取り可能に構成されているので、特許文献１のようにスリットをケースに設ける必要がない。従って、ケースの強度の低下を抑えることができるとともに、外観デザインの制約を受けることを無くすことができる。また、竜頭の頭部がケースに接触している状態ではケースの貫通孔が閉塞され、無線通信デバイスは金属製のケースと金属製の竜頭で囲まれた状態になるので、無線通信デバイスから発信される電波が外部に放射されない。従って、無線通信デバイスの情報の漏洩を抑えることができる。
【００１３】
なお、前記竜頭が前記ケースから離れる方向に引かれたとき、前記貫通孔内に位置する前記竜頭の胴部の周囲に前記ケースの外部と連通する隙間が生じることが好ましい。この構成によれば、竜頭がケースから電気的に独立し、前記隙間を通じて磁束が抜けることができるので、竜頭をブースタ又はリピータとして機能させ、無線通信デバイスとリーダ装置との通信をより良好にすることができる。
【００１４】
また、前記無線通信デバイスは、前記胴部に対して電磁界を介して結合するように設けられることが好ましい。この構成によれば、無線通信デバイスは竜頭の胴部に直接接触する必要がないので、竜頭の胴部の軸周りの回転により無線通信デバイスが摩耗することを抑えることができる。
【００１５】
また、前記無線通信デバイスは、ＲＦＩＣ素子と、当該ＲＦＩＣ素子に接続されたループ状電極とを備え、前記ループ状電極は、ループ面が前記表示部に対向する前記ケースの主面に対して交差するように設けられることが好ましい。この構成によれば、ループ状電極による磁界から誘起される電界が、金属面であるケースの主面によって阻害されることを抑えることができ、アンテナの利得をより確実に得ることができる。
【００１６】
本発明の一態様に係るタグ内蔵時計の真贋判定方法は、時刻を表示する表示部と、
側面に貫通孔を有する金属製のケースと、
前記貫通孔を開閉可能に設けられた金属製の竜頭と、
前記ケースの内部に収容された無線通信デバイスと、
を備えるタグ内蔵時計の真贋判定方法であって、
前記ケースの外側に位置し且つ前記ケースに接触することにより前記貫通孔を閉塞する前記竜頭の頭部を前記ケースから離れる方向に引き、
前記竜頭の頭部を前記ケースに対して非接触にした状態で、リーダ装置により前記無線通信デバイスの情報を読み取る、
ことを含む。
【００１７】
この方法によれば、竜頭の頭部をケースから離れる方向に引き、竜頭の頭部をケースに対して非接触にした状態で、リーダ装置により無線通信デバイスの情報を読み取るので、特許文献１のようにスリットがケースに設けられる必要がない。従って、ケースの強度の低下を抑えることができるとともに、外観デザインの制約を受けることを無くすことができる。また、竜頭の頭部がケースに接触している状態ではケースの貫通孔が閉塞され、無線通信デバイスは金属製のケースと金属製の竜頭で囲まれた状態になるので、無線通信デバイスから発信される電波が外部に放射されない。従って、無線通信デバイスの情報の漏洩を抑えることができる。
【００１８】
なお、前記リーダ装置による前記無線通信デバイスの情報の読み取りは、前記竜頭の頭部に手指を接触させた状態で行われることが好ましい。この方法によれば、竜頭の頭部に手指が接触することで、当該手指をブースタとして機能させ、無線通信デバイスとリーダ装置との通信をより良好にすることができる。
【００１９】
以下、実施の形態に係るタグ内蔵時計及びタグ内蔵時計の真贋判定方法について、添付図面を参照しながら説明する。なお、図面において実質的に同一の部材については同一の符号を付している。
【００２０】
（実施の形態）
図１は、本発明の実施の形態に係るタグ内蔵時計１の概略構成を示す平面図である。図２は、図１のタグ内蔵時計１の内部構造を示す平面図である。本実施の形態において、タグ内蔵時計１は、腕時計である。
【００２１】
図１及び図２に示すように、タグ内蔵時計１は、表示部２と、金属製のケース３と、金属製の竜頭４と、ケース３の内部に収容された無線通信デバイスの一例であるＲＦＩＤタグ５とを備えている。
【００２２】
図１に示すように、表示部２は、時刻を表示するものである。表示部２は、短針２１と、長針２２とを備えている。本実施の形態において、表示部２は、ケース３の主面３ａの外面に取り付けられている。表示部２は、例えばガラスなどのカバーによって覆われている。なお、表示部２は、外部から見えれば、ケース３の内部に設けられてもよい。
【００２３】
ケース３には、腕に巻き付けるためのバンド３１が取り付けられている。ケース３は、中空構造に構成されている。ケース３の内部には、短針２１及び長針２２を回転駆動させる駆動機構（図示せず）が設けられている。ケース３の側面には、図２に示すように、貫通孔３ｂが設けられている。
【００２４】
竜頭４は、貫通孔３ｂを開閉可能に設けられている。より具体的には、竜頭４は、頭部４１と、胴部４２とを備えている。頭部４１は、ケース３の外側に位置し、ケース３に接触することにより貫通孔３ｂを閉塞可能に構成されている。頭部４１の直径は、貫通孔３ｂの直径よりも大きい。胴部４２は、一端部４２ａが頭部４１に接続され、他端部４２ｂがケース３の内側に位置するように貫通孔３ｂを通じてケース３の内側へ延在するように構成されている。胴部４２の直径は、貫通孔３ｂの直径よりも小さい。
【００２５】
ＲＦＩＤタグ５は、図２に示すように、胴部４２に結合されている。本実施の形態において、ＲＦＩＤタグ５は、胴部４２に対して電磁界を介して結合するように胴部４２の近傍に胴部４２に対して非接触で設けられている。
【００２６】
図３は、ＲＦＩＤタグ５の概略構成を示す斜視図である。図４は、ＲＦＩＤタグ５の概略構成を示す断面図である。図３及び図４には、ＲＦＩＤタグ５と竜頭４の胴部４２との位置関係も示されている。
【００２７】
図３及び図４に示すように、ＲＦＩＤタグ５は、樹脂ブロック５１と、給電部となるＲＦＩＣ素子５２と、アンテナ素子となるループ状電極５３とを備えている。なお、図３では、樹脂ブロック５１を透過して示している。また、図３では、ループ状電極５３を構成する部品にのみハッチングを付している。
【００２８】
樹脂ブロック５１は、胴部４２に対して結合面となる第１面５１Ａと、第１面に対して対向する第２面５１Ｂとを有している。樹脂ブロック５１は、例えば、エポキシ樹脂などの硬質な樹脂材料により構成されている。また、樹脂ブロック５１は、例えば、直方体形状に形成されている。
【００２９】
ＲＦＩＣ素子５２は、図４に示すように、基板５４の第１主面５４ａに実装され、樹脂ブロック５１の第２面５１Ｂに埋め込まれるように設けられている。ＲＦＩＣ素子５２は、例えば、９００ＭＨｚ帯、すなわちＵＨＦ帯の通信周波数に対応するＲＦＩＣ素子である。ＲＦＩＣ素子５２は、ループ状電極５３に接続されている。
【００３０】
基板５４は、樹脂ブロック５１の第２面５１Ｂ側に設けられている。本実施の形態において、基板５４は、樹脂ブロック５１の第２面５１Ｂに埋め込まれるように設けられている。基板５４は、例えば、エポキシ樹脂などの硬質な樹脂材料により構成されている。また、基板５４は、例えば、矩形状に形成されている。
【００３１】
ループ状電極５３は、第１金属ピン５３１と、第２金属ピン５３２と、平板状電極５３３と、第１導体パターン５３４と、第２導体パターン５３５とを備えている。ループ状電極５３は、ループ面がケース３の主面３ａ（図１参照）に対して交差（例えば、直交又は略直交）するように設けられている。ここで、ループ面とは、第１金属ピン５３１、第２金属ピン５３２、平板状電極５３３、第１導体パターン５３４、及び第２導体パターン５３５をそれぞれ横切る平面である。
【００３２】
第１金属ピン５３１及び第２金属ピン５３２は、例えば、金属塊（バルク）をピン状に加工して構成されている。第１金属ピン５３１及び第２金属ピン５３２は、樹脂ブロック５１に埋め込まれている。より具体的には、第１金属ピン５３１及び第２金属ピン５３２は、樹脂ブロック５１の第１面５１Ａ及び第２面５１Ｂに対して交差（例えば、直交又は略直交）する方向に延在するように樹脂ブロック５１に埋め込まれている。また、第１金属ピン５３１と第２金属ピン５３２とは、基板５４を挟んで互いに対向する位置に設けられている。
【００３３】
平板状電極５３３は、樹脂ブロック５１の第１面５１Ａ側に設けられ、第１金属ピン５３１の一端部５３１ａと第２金属ピン５３２の一端部５３２ａとを接続する。平板状電極５３３は、例えば、矩形状に形成されている。本実施の形態において、平板状電極５３３の幅は、第１金属ピン５３１及び第２金属ピン５３２の直径よりも大きくなるように形成されている。また、樹脂ブロック５１の第１面５１Ａ側から見た平面視において、ＲＦＩＣ素子５２は、平板状電極５３３の投影面内に配置されている。
【００３４】
図４に示すように、基板５４の第１主面５４ａには、ＲＦＩＣ素子５２に接続される第１配線パターン５３４ａ及び第２配線パターン５３５ａが形成されている。また、基板５４には、第１ビアホール導体５３４ｃ及び第２ビアホール導体５３５ｃが厚み方向に貫通するように設けられている。第１配線パターン５３４ａは、ＲＦＩＣ素子５２の第１入出力端子（図示せず）に接続されるとともに第１ビアホール導体５３４ｃに接続されている。第２配線パターン５３５ａは、ＲＦＩＣ素子５２の第２入出力端子（図示せず）に接続されるとともに第２ビアホール導体５３５ｃに接続されている。
【００３５】
図４に示すように、樹脂ブロック５１の第２面５１Ｂ及び基板５４の第２主面５４ｂに跨がるように、第３配線パターン５３４ｂ及び第４配線パターン５３５ｂが形成されている。第３配線パターン５３４ｂは、第１金属ピン５３１の他端部５３１ｂと第１ビアホール導体５３４ｃとを接続するように形成されている。第４配線パターン５３５ｂは、第２金属ピン５３２の他端部５３２ｂと第２ビアホール導体５３５ｃとを接続するように形成されている。
【００３６】
本実施の形態において、第１導体パターン５３４は、第１配線パターン５３４ａと、第３配線パターン５３４ｂと、第１ビアホール導体５３４ｃとで構成され、ＲＦＩＣ素子５２と第１金属ピン５３１の他端部５３１ｂとを接続する。また、第２導体パターン５３５は、第２配線パターン５３５ａと、第４配線パターン５３５ｂと、第２ビアホール導体５３５ｃとで構成され、ＲＦＩＣ素子５２と第２金属ピン５３２の他端部５３２ｂとを接続する。
【００３７】
樹脂ブロック５１の第１面５１Ａには、平板状電極５３３を覆うように保護層５５が設けられている。樹脂ブロック５１の第２面５１Ｂには、第１導体パターン５３４、第２導体パターン５３５、及び基板５４の第２主面５４ｂを覆うように保護層５６が設けられている。
【００３８】
なお、基板５４の第１主面５４ａには、図示しないが、第１配線パターン５３４ａと第２配線パターン５３５ａとに接続される２つのチップキャパシタが実装されている。２つのチップキャパシタは、ＲＦＩＣ素子５２と並列に配置され、ＲＦＩＣ素子５２は、ループ状電極５３と２つのチップキャパシタとによりインピーダンス整合される。ループ状電極５３と２つのチップキャパシタとでＬＣ共振回路が構成されている。
【００３９】
次に、図５及び図６を参照して、タグ内蔵時計１の真贋判定方法について説明する。
【００４０】
図５は、竜頭４の頭部４１がケース３から離れる方向に引かれた状態におけるタグ内蔵時計１の概略構成を示す平面図である。図６は、竜頭４の頭部４１がケース３から離れる方向に引かれた状態におけるタグ内蔵時計１の内部構造を示す平面図である。
【００４１】
まず、図５に示すように、竜頭４の頭部４１をケース３から離れる方向に引く。これにより、図６に示すように、貫通孔３ｂ内に位置する竜頭４の胴部４２の周囲にケース３の外部と連通する隙間ＣＬが生じ、竜頭４の頭部４１及び胴部４２がケース３に対して非接触になる。なお、貫通孔３ｂの直径は、例えば約２．０ｍｍである。胴部４２の直径は、例えば約１．０ｍｍである。隙間ＣＬは、例えば約０．５ｍｍである。
【００４２】
次いで、竜頭４の頭部４１及び胴部４２をケース３に対して非接触にした状態で、リーダ装置６によりＲＦＩＤタグ５の情報を読み取る。このとき、竜頭４がケース３から電気的に独立し、竜頭４の延伸方向に信号電流が流れるとともに、隙間ＣＬを通じて磁束が抜けることができるので、竜頭４がブースタ又はリピータとして機能する。リーダ装置６は、この竜頭４を通じてＲＦＩＤタグ５の情報を読み取る。このＲＦＩＤタグ５の情報（例えば、固有ＩＤ）に基づいて、タグ内蔵時計１の真贋判定を行うことが可能になる。なお、リーダ装置６は、ハンディ型のリーダ装置であって、先端部には１ターンループからなるアンテナが取り付けられている。
【００４３】
本実施の形態によれば、竜頭４の頭部４１がケース３から離れる方向に引かれたとき、リーダ装置６がＲＦＩＤタグ５の情報を読み取り可能に構成されているので、特許文献１のようにスリットをケース３に設ける必要がない。従って、ケース３の強度の低下を抑えることができるとともに、外観デザインの制約を受けることを無くすことができる。また、竜頭４の頭部４１がケース３に接触している状態ではケース３の貫通孔３ｂが閉塞され、ＲＦＩＤタグ５は金属製のケース３と金属製の竜頭４で囲まれた状態になるので、ＲＦＩＤタグ５から発信される電波が外部に放射されない。従って、ＲＦＩＤタグ５の情報の漏洩を抑えることができる。
【００４４】
また、本実施の形態によれば、竜頭４がケース３から離れる方向に引かれたとき、貫通孔３ｂ内に位置する竜頭４の胴部４２の周囲にケース３の外部と連通する隙間ＣＬが生じるように構成されている。この構成によれば、竜頭４がケース３から電気的に独立し、隙間ＣＬを通じて磁束が抜けることができるので、竜頭４をブースタ又はリピータとして機能させ、ＲＦＩＤタグ５とリーダ装置６との通信をより良好にすることができる。
【００４５】
また、本実施の形態によれば、ＲＦＩＤタグ５は、胴部４２に対して電磁界を介して結合するように設けられている。この構成によれば、ＲＦＩＤタグ５は竜頭４の胴部４２に直接接触する必要がないので、複雑な機構を設けることなく、竜頭４の胴部４２の軸周りの回転や竜頭の延伸方向の押し引きによりＲＦＩＤタグ５や竜頭４が摩耗することを抑えることができる。なお、「電磁界を介して結合する」とは、電界、磁界、又はその両者を介して結合することを意味する。
【００４６】
また、本実施の形態によれば、ＲＦＩＤタグ５は、ＲＦＩＣ素子５２と、当該ＲＦＩＣ素子５２に接続されたループ状電極５３とを備え、ループ状電極５３は、ループ面が表示部２に対向するケース３の主面３ａに対して交差するように設けられている。この構成によれば、ループ状電極５３による磁界から誘起される電界が、金属面であるケース３の主面３ａによって阻害されることを抑えることができ、アンテナの利得をより確実に得ることができる。
【００４７】
なお、本発明は前記実施の形態に限定されるものではなく、その他種々の態様で実施できる。例えば、前記では、タグ内蔵時計１が腕時計であるものとしたが、本発明はこれに限定されない。例えば、タグ内蔵時計１は、懐中時計であってもよい。また、時計機能のみを有したデバイスに限定されるわけではなく、例えば、無線通信機能や生体情報センシング機能をさらに有した、いわゆるウェアラブル端末であってもよい。
【００４８】
また、前記では、竜頭４がケース３から離れる方向に引かれたとき、貫通孔３ｂ内に位置する竜頭４の胴部４２の周囲にケース３の外部と連通する隙間ＣＬが生じるように構成されるものとしたが、隙間ＣＬは空間であることに限定されない。隙間ＣＬには、磁束の流れを阻害しない材料が充填されてもよい。例えば、隙間ＣＬには、防水用のゴムなどの弾性部材が充填されてもよい。また、隙間ＣＬは、胴部４２の全周に設けられることに限定されない。すなわち、胴部４２とケース３とは、互いに一部が接触していてもよい。
【００４９】
また、前記では、図４に示すように、胴部４２の延在方向がループ状電極５３の巻回軸が対して平行になるようにＲＦＩＤタグ５を設けたが、本発明はこれに限定されない。例えば、図７に示すように、胴部４２の延在方向がループ状電極５３の巻回軸が対して直交するようにＲＦＩＤタグ５を設けてもよい。この構成によれば、胴部４２を中心軸とする磁界がループ状電極５３の内部を通過するようにすることができる。
【００５０】
また、前記では、リーダ装置６は、ＲＦＩＤタグ５の情報を読み取るリーダ機能を有するものとしたが、本発明はこれに限定されない。例えば、リーダ装置６は、ＲＦＩＤタグ５の情報を読み取るとともに、ＲＦＩＤタグ５に情報を書き込むリーダライタ機能を有するように構成されてもよい。例えば、真贋判定の他、生産管理や流通管理、修理履歴管理等にも利用することができる。
【００５１】
また、前記では、ＲＦＩＤタグ５は、図３及び図４に示すように、樹脂ブロック５１と、ＲＦＩＣ素子５２と、ループ状電極５３とで構成されるものとしたが、本発明はこれに限定されない。ＲＦＩＤタグ５は、ケース３の内部に収容され、竜頭４の頭部４１がケース３から離れる方向に引かれたとき、リーダ装置６と通信可能に構成されていればよい。
【００５２】
また、前記では、ＲＦＩＤタグ５は、図２に示すように、胴部４２に設けられるものとしたが、本発明はこれに限定されない。例えば、ＲＦＩＤタグ５は、図８に示すように、ケース３の内側面３ｃに設けられてもよい。また、このとき、ＲＦＩＤタグ５は、図９に示すように、平板状電極５３３が保護層５５を介してケース３の内側面３ｃと対向するように設けられてもよい。このような構成によっても、ＲＦＩＤタグ５は、竜頭４の頭部４１がケース３から離れる方向に引かれたときに、リーダ装置６と通信することができる。
【００５３】
また、前記では、ケース３から離れる方向に引かれた竜頭４の頭部４１にリーダ装置６を近づけて、当該リーダ装置６によりＲＦＩＤタグ５の情報を読み取るようにしたが本発明はこれに限定されない。例えば、リーダ装置６によるＲＦＩＤタグ５の情報の読み取りは、図１０に示すように、竜頭４の頭部４１に手指１００等の人体の一部を接触させた状態で行われてもよい。この方法によれば、竜頭４の頭部４１に手指１００が接触することで、当該手指１００をブースタとして機能させ、ＲＦＩＤタグ５とリーダ装置６との通信をより良好にすることができる。
【００５４】
本発明をある程度の詳細さをもって各実施形態において説明したが、これらの実施形態の開示内容は構成の細部において変化してしかるべきものである。また、各実施形態における要素の組合せや順序の変化は、本開示の範囲及び思想を逸脱することなく実現し得るものである。
【産業上の利用可能性】
【００５５】
本発明に係るタグ内蔵時計によれば、ケースの強度低下、外観デザインの制約、及び無線通信デバイスの情報の漏洩を抑えることができるので、特に、高級時計の真贋判定の用途に有用である。
【符号の説明】
【００５６】
１    タグ内蔵時計
２    表示部
３    ケース
３ａ  主面
３ｂ  貫通孔
３ｃ  内側面
４    竜頭
５    ＲＦＩＤタグ
６    リーダ装置
２１    短針
２２    長針
３１    バンド
４１    頭部
４２    胴部
４２ａ  一端部
４２ｂ  他端部
５１    樹脂ブロック
５１Ａ  第１面
５１Ｂ  第２面
５２    ＲＦＩＣ素子
５３    ループ状電極
５４    基板
５４ａ  第１主面
５４ｂ  第２主面
５５，５６  保護層
１００    手指
５３１    第１金属ピン
５３１ａ  一端部
５３１ｂ  他端部
５３２    第２金属ピン
５３２ａ  一端部
５３２ｂ  他端部
５３３    平板状電極
５３４    第１導体パターン
５３４ａ  第１配線パターン
５３４ｂ  第３配線パターン
５３４ｃ  第１ビアホール導体
５３５    第２導体パターン
５３５ａ  第２配線パターン
５３５ｂ  第４配線パターン
５３５ｃ  第２ビアホール導体
ＣＬ    隙間
【図１】
0006428984.tif 000002
【図２】
0006428984.tif 000003
【図３】
0006428984.tif 000004
【図４】
0006428984.tif 000005
【図５】
0006428984.tif 000006
【図６】
0006428984.tif 000007
【図７】
0006428984.tif 000008
【図８】
0006428984.tif 000009
【図９】
0006428984.tif 000010
【図１０】
0006428984.tif 000011